(57)【要約】【課題】入力されたテレビジョン信号が低Ｃ／Ｎ環境下であってもその信号がＰＡＬ方式、ＳＥＣＡＭ方式のいずれであるかを安定して判別するＰＡＬ、ＳＥＣＡＭ信号判別装置を提供する。【解決手段】ＡＣＣ／ＦＭ復調回路２は、ベルフィルタ１によって波形整形されたカラー信号から色副搬送波を検出し、その周波数と基準周波数との周波数差の信号を出力する。無変調キャリア周波数判別回路４は基準周波数を出力するとともに、周波数差の信号に基づいて信号判別を行う。ＳＥＣＡＭ用設定器９は第１の基準周波数を出力する設定値を設定し、ＰＡＬ用設定器８は周波数のより低い第２の基準周波数を出力する設定値を設定する。切替ＳＷ７は、初期判別時にＳＥＣＡＭ用設定器の設定値を使用し、判別結果がＰＡＬ方式であるとき、ＰＡＬ用設定器の設定値を使用するように切り替える。【選択図】図１
2009141440.tif 000002
【特許請求の範囲】
【請求項１】
入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、所定の周波数特性を与えて出力するバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力する設定値を設定する第１の設定手段と、
前記基準周波数発生回路が前記第２の基準周波数を出力する設定値を設定する第２の設定手段と、
前記判別回路が前記テレビジョン信号を判別する初期判別時に前記第１の設定手段の設定値を使用し、前記判別回路が前記テレビジョン信号をＰＡＬ方式であると判別したとき、前記第２の設定手段の設定値を使用するように前記第１及び第２の設定手段の設定値を切り替える切替手段とを、
備えたＰＡＬ、ＳＥＣＡＭ信号判別装置。
【請求項２】
入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、設定により所定の周波数特性を与えて出力する第１の出力特性と、前記第１の出力特性よりも帯域幅を狭くした第２の出力特性とに切り替えることが可能なバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力し、かつ前記バンドパスフィルタが前記第１の出力特性を持つように設定値を設定する第１の設定手段と、
前記基準周波数発生回路が第２の基準周波数を出力し、かつ前記バンドパスフィルタが前記第２の出力特性を持つように設定値を設定する第２の設定手段と、
前記判別回路が前記テレビジョン信号を判別する初期判別時に前記第１の設定手段の設定値を使用し、前記判別回路が前記テレビジョン信号をＰＡＬ方式であると判別したとき、前記第２の設定手段の設定値を使用するように前記第１及び第２の設定手段の設定値を切り替える切替手段とを、
備えたＰＡＬ、ＳＥＣＡＭ信号判別装置。
【請求項３】
入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、設定により所定の周波数特性を与えて出力する第１の出力特性と、前記第１の出力特性よりも帯域幅を狭くした第２の出力特性と、前記第１の出力特性よりも中心周波数を高くした第３の出力特性とに切り替えることが可能なバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力し、前記バンドパスフィルタが前記第３の出力特性を持つように設定値を設定する第１の設定手段と、
前記基準周波数発生回路が前記第２の基準周波数を出力し、かつ前記バンドパスフィルタが前記第２の出力特性を持つように設定値を設定する第２の設定手段と、
前記基準周波数発生回路が第１の基準周波数を出力し、かつ前記バンドパスフィルタが前記第１の出力特性を持つように設定値を設定する第３の設定手段と、
前記判別回路が前記テレビジョン信号を判別する初期判別時に前記第３の設定手段の設定値を使用し、前記判別回路が前記テレビジョン信号をＰＡＬ方式であると判別したとき前記第２の設定手段の設定値を使用し、前記判別回路が前記テレビジョン信号をＳＥＣＡＭ方式であると判別したとき前記第１の設定手段の設定値を使用し、前記第１又は第２の設定手段の設定値の使用中にテレビ信号の受信モードが遷移したとき前記第３の設定手段の設定値を使用するように前記第１、第２及び第３の設定手段の設定値を切り替える切替手段とを、
備えたＰＡＬ、ＳＥＣＡＭ信号判別装置。
【発明の詳細な説明】
【技術分野】
【０００１】
本発明は、ＰＡＬ（Phase Alternation by Line）信号の処理とＳＥＣＡＭ（SEquential Couleur A Memoire）信号の処理を行うカラーテレビジョン受信装置に係り、特に、入力されたテレビジョン信号がＰＡＬ方式であるか、ＳＥＣＡＭ方式であるかを判別するＰＡＬ、ＳＥＣＡＭ信号判別装置に関する。
【背景技術】
【０００２】
図４は下記の特許文献１に開示された従来のＳＥＣＡＭ信号判別装置の構成を示すブロック図である。図４において、入力されたテレビジョン信号が輝度／カラー分離回路（図示せず）により分離され、得られたカラー信号がクロマ復調回路１３に入力される。クロマ復調回路１３は、入力されたカラー信号から色差信号ＤＲ／ＤＢを復調して出力する。クロマ復調回路１３から出力された色差信号ＤＲ／ＤＢは出力回路２０に加えられる。出力回路２０は、色差信号ＤＲ／ＤＢに対して視覚補正処理、ＳＣＡＲＴ挿入処理、ＯＳＤ処理、サンプリングレート変換処理などを行って画像データを出力する。
【０００３】
テレビジョン信号がＳＥＣＡＭ方式（以下、ＳＥＣＡＭ方式の信号をＳＥＣＡＭ信号、ＰＡＬ方式の信号をＰＡＬ信号と略記する）の場合、ＤＲ信号とＤＢ信号はそれぞれ異なる中心周波数の色副搬送波にＦＭ変調されている。クロマ復調回路１３は、所定の基準信号の基本周波数を基にＦＭ復調することによって、カラー信号の瞬時周波数と、基本周波数との周波数差をレベルに変換した信号を出力する。このレベルに変換された信号はＳＥＣＡＭ信号判別回路１５に入力される。
【０００４】
また、同期信号検出回路（図示せず）によってテレビジョン信号から抽出された水平同期信号がタイミング生成回路１４に入力される。タイミング生成回路１４は、入力された水平同期信号に基づいてバーストレベル検出用パルス、無信号レベル検出用パルス及びＳＥＣＡＭ信号判別用パルスを生成する。
【０００５】
クロマ復調回路１３は、色差信号ＤＲ／ＤＢを復調する前に、入力されたカラー信号を波形整形する機能を有し、波形整形されたカラー信号をバースト／無信号レベル検出回路１６に加える。バースト／無信号レベル検出回路１６は、タイミング生成回路１６で生成されたバーストレベル検出用パルス及び無信号レベル検出用パルスを用いて、バックポーチ内のカラーバースト信号区間と無信号区間でそれぞれカラー信号を積分し、得られた２つの信号レベルを比較し、入力されたカラー信号がＰＡＬ信号の可能性が高いか否かを判断する。
【０００６】
これはＳＥＣＡＭ信号のバースト信号区間と無信号区間との信号レベルを比較すると、レベル差はほとんどないと想定される。これに対して、ＰＡＬ信号は、無信号区間のレベルが小さく、バースト信号区間とのレベル差は大きいと想定される。従って、バースト信号区間と無信号区間の信号レベルを比較し、無信号区間の信号レベルが十分小さければ、その信号はＰＡＬ信号である可能性が高いと判断し、無信号区間の信号レベルが十分に大きければ、その信号はＰＡＬ信号である可能性は高くないと判断する。このようにして判断して得られた結果がＳＥＣＡＭ信号判別回路１５と切替ＳＷ１７に加えられる。
【０００７】
切替ＳＷ１７には、ＳＥＣＡＭ信号であるか否かを判断するための値の大きい閾値を設定するＰＡＬ設定器１８と、値の小さい閾値を設定するＳＥＣＡＭ設定器１９とが接続されている。バースト／無信号レベル検出回路１６によって、入力信号がＰＡＬ信号である可能性が高いと判断したとき、切替ＳＷ１７はＰＡＬ設定器１８で設定された値の大きい閾値をＳＥＣＡＭ信号判別回路１５に加えるように切り替えられる。これによって、ＳＥＣＡＭ信号判別回路１５がＳＥＣＡＭ信号であると判断するための判断基準の閾値が高く設定される。また、バースト／無信号レベル検出回路１６によって、入力信号がＰＡＬ信号である可能性は高くないと判断したとき、切替ＳＷ１７はＳＥＣＡＭ設定器１９で設定された値の小さい閾値をＳＥＣＡＭ信号判別回路１５に加えるように切り替えられる。これによって、ＳＥＣＡＭ信号判別回路１５がＳＥＣＡＭ信号であると判断するための判断基準の閾値は低く設定される。
【０００８】
ＳＥＣＡＭ信号判別回路１５は、タイミング生成回路１４で１水平ラインごとに生成されたＳＥＣＡＭ信号判別用パルスと、バースト／無信号レベル検出回路１６から出力されたＰＡＬ信号判断結果を示す信号との、例えば不一致状態を検出し、所定の時間内にその状態を検出した回数がそれぞれＳＥＣＡＭ信号であると判断するための閾値を超えたとき、ＳＥＣＡＭ信号であることの判別結果を出力する。なお、ＳＥＣＡＭ信号判別回路１５は、ＳＥＣＡＭ信号であることの判別結果を得る過程でＤＲ信号とＤＢ信号であるかを判別し、その判別結果をクロマ復調回路１３に加えて、ＦＭ復調時に生じるオフセットの除去に使用される。
【０００９】
図５は下記の特許文献２に開示された従来の他のＳＥＣＡＭ信号判別装置の構成を示すブロック図である。図５において、入力されたテレビジョン信号が輝度／カラー分離回路（図示せず）により分離され、得られたカラー信号がクロマ復調回路２３に入力される。クロマ復調回路２３は、入力されたカラー信号から色差信号ＤＲ／ＤＢを復調して出力するとともに、ＤＲ／ＤＢ識別信号Ｘを出力する。以下、クロマ復調回路２３について詳しく説明する。
【００１０】
テレビジョン信号がＳＥＣＡＭ方式の場合、ＤＲ信号及びＤＢ信号はそれぞれ異なる中心周波数の色副搬送波にＦＭ変調されている。クロマ復調回路２３はＦＭ変調されているカラー信号を所定の基本周波数を基にＦＭ復調する。この場合、カラー信号の瞬時周波数と基本周波数との周波数差がレベルに変換される。クロマ復調回路２３は、このＦＭ復調出力に基づき、水平ラインにＤＲ信号が変調されているのか、ＤＢ信号が変調されているのかを識別するためのＤＲ／ＤＢ識別信号Ｘを生成する。このとき、ＦＭ復調出力のうち、指定された範囲の復調値のみを抽出する。その復調値が４．４０６２５ＭＨｚ（ＤＲ）に近いか、あるいは４．２５０００ＭＨｚ（ＤＢ）に近いかを判断する。この判断は、例えば、４．４０６２５ＭＨｚの復調値と４．２５０００ＭＨｚの復調値との中間値を閾値として、出力された復調値を２値化することにより行うことができる。このようにして判断した結果に基づき、復調値が４．４０６２５ＭＨｚに近ければハイ（Ｈ）、４．２５０００ＭＨｚに近ければロー（Ｌ）となるＤＲ／ＤＢ識別信号Ｘを生成する。このＤＲ／ＤＢ識別信号Ｘは、ラインＩＤ信号が含まれている水平ラインの期間の間、その値が保持され続ける。つまり、ハイ（Ｈ）とロー（Ｌ）の切換は水平同期信号のタイミングで行われる。ＤＲ／ＤＢ識別信号Ｘは、オフセット量の調整などが行われたのち、ＤＲ／ＤＢ信号として出力され、出力回路３０に加えられ、ＤＲ／ＤＢ識別信号ＸはＳＥＣＡＭ信号判別回路２５に加えられる。
【００１１】
出力回路２０は、ＤＲ／ＤＢ信号に対して、視覚補正処理、ＳＣＡＲＴ挿入処理、ＯＳＤ処理、サンプリングレート変換処理などを行い、画像データを出力する。
【００１２】
一方、同期信号検出回路（図示せず）によってテレビジョン信号から抽出された水平同期信号がタイミング生成回路２４に入力される。タイミング生成回路２４は入力された水平同期信号に基づいて、ＳＥＣＡＭ信号判別用パルスを生成してＳＥＣＡＭ信号判別回路２５に加える。
【００１３】
また、テレビジョン信号、すなわちアナログコンポジット信号が弱電界検出回路２６に入力される。弱電界検出回路２６はテレビジョン信号をデジタルデータに変換した後、ハイパスフィルタ（図示せず）に加え、このハイパスフィルタを通過した信号をノイズ成分と判断し、さらに、テレビション信号の垂直ブランキング期間内１Ｈ〜６Ｈのノイズレベルを積算し、ノイズ積算値が大きい場合は弱電界信号であると判断し、ノイズ積算値が小さい場合は強電界（通常）信号であると判断する。
【００１４】
切替ＳＷ２７には強電界時の基準閾値ＴＨ１を設定する強電界設定器２８と、弱電界時の基準閾値ＴＨ２を設定する弱電界設定器２９とが接続されており、基準閾値ＴＨ１と基準閾値ＴＨ２とは、ＴＨ１＞ＴＨ２の関係になっている。弱電界検出回路２６がテレビジョン信号を強電界信号と判断したとき強電界設定器２８の基準閾値ＴＨ１を出力し、弱電界であると判断したとき、弱電界設定器２９の基準閾値ＴＨ２を出力する。すなわち、入力信号が強電界（通常）時の場合にはＳＥＣＡＭ信号であると判断する際の基準を高く設定し、入力信号が弱電界時の場合にはＳＥＣＡＭ信号であると判断する際の基準を低く設定する。そして、これらの基準閾値ＴＨ１、ＴＨ２をそれぞれＳＥＣＡＭ信号判別回路２５に加える。
【００１５】
ＳＥＣＡＭ信号判別回路２５は、クロマ復調回路２３から出力されたＤＲ／ＤＢ識別信号Ｘと、タイミング生成回路から出力されたＳＥＣＡＭ信号判別用パルスと、切替ＳＷ２７を介して出力された基準閾値ＴＨ１、ＴＨ２とに基づいて入力された信号がＳＥＣＡＭ信号であるか否かを判断するが、その動作を以下に説明する。
【００１６】
例えばＳＥＣＡＭ信号が入力されると、クロマ復調回路２３はハイ（Ｈ）とロー（Ｌ）を１水平ライン毎に交互に繰り返すＤＲ／ＤＢ識別信号Ｘを出力する。ＳＥＣＡＭ信号判別回路２５にこのようなＤＲ／ＤＢ識別信号Ｘが入力されると、信号の変化回数が内部で加算され、加算値はプラス側にインクリメントされ続けることとなる。つまり、ＳＥＣＡＭ信号が入力された場合には、１水平ライン毎に１フレーム加算された値が増加していき、所定時間後には加算器の出力値が基準閾値を越えることとなる。１フレーム内にラインＩＤ信号は約５７５ラインあるため、ＳＥＣＡＭ標準信号であれば加算値は５７５になる。
【００１７】
一方、ＳＥＣＡＭ信号以外の信号が入力されると、クロマ復調回路２３からハイ（Ｈ）とロー（Ｌ）とを交互に繰り返さず、ハイ（Ｈ）とロー（Ｌ）のいずれか一方の出力に偏ったＤＲ／ＤＢ識別信号Ｘが出力される。例えばＰＡＬ信号が入力されれば、そのカラーバースト信号の周波数が４．４３０ＭＨｚであるため、常にハイ（Ｈ）となるＤＲ／ＤＢ識別信号Ｘが出力される。ＳＥＣＡＭ信号判別回路２５にこのようなＤＲ／ＤＢ識別信号Ｘが入力されると、内部加算器は、プラス側にインクリメントされ続けることなく、加算値の増減がある一定の範囲内で収まってしまう。つまり、ＳＥＣＡＭ信号以外の信号が入力されると、加算値はある一定範囲以上増加せず、この増加範囲を考慮した基準閾値を設定しておけば、所定時間経過してもこの出力値は基準閾値を越えることはない。なお、ＰＡＬ標準信号であれば加算値は０になる。
【００１８】
以上のようにＳＥＣＡＭ信号判別回路２５では、内部加算器の加算値を一定時間の間モニタして、この加算値が基準閾値を越えたか否かを判断することにより、入力された信号がＳＥＣＡＭ信号であるか否かを判断することができる。この場合、入力されたテレビジョン信号に対してノイズ成分を抽出し、垂直ブランキング期間のノイズ成分の積算値レベルに応じて基準閾値をＴＨ１とＴＨ２とに変化させているので、弱電界時、低Ｃ／Ｎ環境下においてもＳＥＣＡＭ信号をＰＡＬ信号であると誤判別せず、高精度にＳＥＣＡＭ信号の判別を行うことができる。
【特許文献１】特開２００３-１８６０８号公報（段落００６１〜０１２３）
【特許文献２】特開２００５-５７６３９号公報（段落００２７〜００５０）
【発明の開示】
【発明が解決しようとする課題】
【００１９】
しかしながら、上記の特許文献１又は２に記載されたＳＥＣＡＭ信号判別装置では、テレビジョン信号が弱電界等の低Ｃ／Ｎ環境下において、チャンネル切替え等で入力信号がＰＡＬ信号からＳＥＣＡＭ信号に変化した場合や、ＳＥＣＡＭ信号からＰＡＬ信号に変化した場合、又は入力テレビジョン信号の周波数特性が悪く、カラーバース付近のレベルが落ちてしまっている場合、閾値が切替わるのに時間が掛かり、判別切替えが遅くなるほか、判別誤動作が起きやすいという問題があった。
【００２０】
本発明は、上記の問題点を解決するためになされたもので、その目的は入力されたテレビジョン信号が低Ｃ／Ｎ環境下であってもその信号がＰＡＬ方式であるか、ＳＥＣＡＭ方式であるかを安定して判別することができるＰＡＬ、ＳＥＣＡＭ信号判別装置を提供することにある。
本発明の他の目的は、入力されたテレビジョン信号の周波数特性が悪い状態であってもその信号がＰＡＬ方式であるか、ＳＥＣＡＭ方式であるかを安定して判別することができるＰＡＬ、ＳＥＣＡＭ信号判別装置を提供することにある。
本発明のもう１つ他の目的は、入力信号が切り替った時の判別応答速度の向上及び判別誤動作の低減を図ることができるＰＡＬ、ＳＥＣＡＭ信号判別装置を提供することにある。
【課題を解決するための手段】
【００２１】
上記の目的を達成するために、本発明は、入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、所定の周波数特性を与えて出力するバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力する設定値を設定する第１の設定手段と、
前記基準周波数発生回路が前記第２の基準周波数を出力する設定値を設定する第２の設定手段と、
前記判別回路が前記テレビジョン信号を判別する初期判別時に前記第１の設定手段の設定値を使用し、前記判別回路が前記テレビジョン信号をＰＡＬ方式であると判別したとき、前記第２の設定手段の設定値を使用するように前記第１及び第２の設定手段の設定値を切り替える切替手段とを、
備える。
【００２２】
また、本発明は、入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、設定により所定の周波数特性を与えて出力する第１の出力特性と、前記第１の出力特性よりも帯域幅を狭くした第２の出力特性とに切り替えることが可能なバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力し、かつ前記バンドパスフィルタが前記第１の出力特性を持つように設定値を設定する第１の設定手段と、
前記基準周波数発生回路が第２の基準周波数を出力し、かつ前記バンドパスフィルタが前記第２の出力特性を持つように設定値を設定する第２の設定手段と、
前記判別回路が前記テレビジョン信号を判別する初期判別時に前記第１の設定手段の設定値を使用し、前記判別回路が前記テレビジョン信号をＰＡＬ方式であると判別したとき、前記第２の設定手段の設定値を使用するように前記第１及び第２の設定手段の設定値を切り替える切替手段とを、
備える。
【００２３】
また、本発明は、入力されたテレビジョン信号がＰＡＬ方式であるか、ＳＥＣＡＭ方式であるかを判別するＰＡＬ、ＳＥＣＡＭ信号判別装置であって、
前記テレビジョン信号を分離して得られるカラー信号を入力し、設定により所定の周波数特性を与えて出力する第１の出力特性と、前記第１の出力特性よりも帯域幅を狭くした第２の出力特性と、前記第１の出力特性よりも中心周波数を高くした第３の出力特性とに切り替えることが可能なバンドパスフィルタと、
設定により第１の基準周波数と、前記第１の基準周波数より周波数の低い第２の基準周波数とに切り替えて出力することが可能な基準周波数発生回路と、
前記バンドパスフィルタの出力信号を入力し、前記テレビジョン信号の水平ブランキング期間に含まれている色副搬送波を検出し、得られた前記色副搬送波の周波数と前記基準周波数発生回路の基準周波数との周波数差の信号を出力するＦＭ復調回路と、
前記ＦＭ復調回路から出力された周波数差の信号に基づき、前記テレビジョン信号がＰＡＬ方式であるか、ＳＥＣＡＭ方式であるかを判別する判別回路と、
前記基準周波数発生回路が前記第１の基準周波数を出力し、前記バンドパスフィルタが前記第３の出力特性を持つように設定値を設定する第１の設定手段と、
前記基準周波数発生回路が前記第２の基準周波数を出力し、かつ前記バンドパスフィルタが前記第２の出力特性を持つように設定値を設定する第２の設定手段と、
前記基準周波数発生回路が第１の基準周波数を出力し、かつ前記バンドパスフィルタが前記第１の出力特性を持つように設定値を設定する第３の設定手段と、
前記判別回路が前記テレビジョン信号を判別する初期判別時に前記第３の設定手段の設定値を使用し、前記判別回路が前記テレビジョン信号をＰＡＬ方式であると判別したとき前記第２の設定手段の設定値を使用し、前記判別回路が前記テレビジョン信号をＳＥＣＡＭ方式であると判別したとき前記第１の設定手段の設定値を使用し、前記第１又は第２の設定手段の設定値の使用中にテレビ信号の受信モードが遷移したとき前記第３の設定手段の設定値を使用するように前記第１、第２及び第３の設定手段の設定値を切り替える切替手段とを、
備える。
【発明の効果】
【００２４】
本発明によれば、第１の基準周波数と、第１の基準周波数より周波数の低い第２の基準周波数とに切り替えて出力することが可能な基準周波数発生回路を備え、テレビジョン信号がＰＡＬ方式であるか、ＳＥＣＡＭ方式であるかを判別する初期判別時に、色副搬送波の周波数と第１の基準周波数との周波数差の信号に基づいて判別し、判別結果がＰＡＬ方式であれば第１の基準周波数の代わりに第２の基準周波数を使用してＰＡＬ信号の色副搬送波のキャリア周波数との周波数差をより大きくするため、テレビジョン信号が低Ｃ／Ｎ環境下であっても安定した判別を実現することができる。
【００２５】
また、本発明によれば、所定の周波数特性を与えて出力する第１の出力特性と、第１の出力特性よりも帯域幅を狭くした第２の出力特性とに切り替えることが可能なバンドパスフィルタを備え、判別結果がＰＡＬ方式であれば、帯域を狭めた色副搬送波のキャリア周波数と基準周波数との周波数差を求めるので、入力されたテレビジョン信号が低Ｃ／Ｎ環境下であっても、テレビジョン信号の周波数特性が悪い状態であっても安定した判別を実現することができる。
【００２６】
また、本発明によれば、所定の周波数特性を与えて出力する第１の出力特性と、第１の出力特性よりも帯域幅を狭くした第２の出力特性と、第１の出力特性よりも中心周波数を高くした第３の出力特性とに切り替えることが可能なバンドパスフィルタを備え、判別結果がＰＡＬ方式であればバンドパスフィルタを帯域幅を狭める側に切り替え、判別結果がＳＥＣＡＭ方式であれば、バンドパスフィルタを中心周波数の高い側に切り替え、さらに、テレビジョン信号の受信モードが遷移したとき、基準周波数及びフィルタ特性を初期判別状態に戻すようにしたので、テレビジョン信号が低Ｃ／Ｎ環境下であっても、テレビジョン信号の周波数特性が悪い状態であっても安定して判別することができるとともに、入力信号の受信モードが遷移したときの判別応答速度の向上及び判別誤動作の低減を図ることができる。
【発明を実施するための最良の形態】
【００２７】
以下、本発明を図面に示す好適な実施の形態に基づいて詳細に説明する。図１は本発明に係るＰＡＬ、ＳＥＣＡＭ信号判別装置の一実施の形態の構成を示すブロック図である。このＰＡＬ、ＳＥＣＡＭ信号判別装置は、ベルフィルタ１と、ＡＣＣ（オート・クロマ・コントロール）回路及びＦＭ復調回路を含むＡＣＣ／ＦＭ復調回路２と、タイミング生成回路３と、無変調キャリア周波数判別回路４と、ＣＰＵ（Central Processing Unit）５と、切替ＳＷ（スイッチ）６及び７と、それぞれ信号判別設定値を設定するＰＡＬ用設定器８、ＳＥＣＡＭ用設定器９、ニュートラル用設定器１０とを備えている。
【００２８】
図１において、コンポジット映像信号（以下、映像信号と称する）が輝度／カラー分離回路（図示せず）によって分離され、得られたカラー信号がベルフィルタ１に入力される。ベルフィルタ１は、送信側で与えられたベルフィルタ特性と逆の周波数特性を、入力されたカラー信号に与えて波形整形する。このベルフィルタ１として中心周波数と帯域幅が可変のものが用いられ、本実施の形態では、ＰＡＬモード時に弱電界信号でのノイズ低減用のバンドパスフィルタとしても使用する。ベルフィルタ１によって波形整形されたカラー信号は、ＡＣＣ／ＦＭ復調回路２に供給される。
【００２９】
ＡＣＣ／ＦＭ復調回路２では、最初にカラー信号をＡＣＣ回路に入力して、ＰＡＬ方式のカラー信号が入力された場合には、そのカラーバーストレベルを一定のレベルに合わせ、次にＦＭ復調回路に入力してカラー信号に含まれる色副搬送波にＦＭ変調されている色差信号を、基準信号の基準周波数を基にＦＭ復調する。このＡＣＣ／ＦＭ復調回路２からは、入力されたカラー信号のバックポーチ部分の無変調キャリア信号の周波数と、基準周波数との周波数差の信号が出力され、無変調キャリア周波数判別回路４に供給される。この場合、周波数差の信号は、１６ビット（ｂｉｔ）幅で２の補数表現の信号であるので基準周波数と無変調キャリア信号周波数が同じ場合、その値は“０”となり、ＤＲ信号のように基準周波数より無変調キャリア信号周波数が高い場合、プラス側にデータが増えた値となり、ＤＢ信号のように基準周波数より無変調キャリア信号周波数が低い場合、マイナス側にデータが減少した値となる。
【００３０】
タイミング生成回路３には、入力された映像信号のそれぞれ水平同期タイミングである図２（ａ）に示すＰＡＬ信号、図２（ｂ）に示すＳＥＣＡＭ信号が入力され、同期検出回路（図示せず）によって検出された映像信号の水平同期タイミングを示す水平同期信号が入力される。タイミング生成回路３は、入力された水平同期信号から、図２（ｃ）〜（ｅ）に示すような、判別に必要な判別用パルス１、２、３と、１水平ライン毎にハイ（Ｈ）／ロー（Ｌ）を交互に繰り返す、図示を省略したトグル信号（ＬＩＮＥ  ＡＬＴ）とを生成する。このうち、図２（ｃ）に示す判別用パルス１は水平同期信号の立ち下がりを示すパルスであり、図２（ｄ）に示す判別用パルス２はバースト信号区間を特定するパルスであり、図２（ｅ）に示す判別用パルス３はバックポーチ区間を示すパルスである。このタイミング生成回路３で生成された判別用パルス１、２、３及びトグル信号（ＬＩＮＥ  ＡＬＴ）は無変調キャリア周波数判別回路４に供給される。なお、タイミング生成回路３はバックポーチ区間に対応する信号をＡＣＣ／ＦＭ復調回路２に供給するが、本発明に直接的に関係しないのでその説明を省略する。
【００３１】
無変調キャリア周波数判別回路４は、ＡＣＣ／ＦＭ復調回路２から出力された周波数差の信号と、タイミング生成回路３から供給された無変調キャリア信号の挿入期間に相当する判別用パルス１、２、３と、トグル信号（ＬＩＮＥ  ＡＬＴ）とに基づいて、無変調キャリア信号部分からＰＡＬ／ＳＥＣＡＭ判別を行う。また、無変調キャリア周波数判別回路４は、ＡＣＣ／ＦＭ復調回路２に対して、ＰＡＬモード、あるいはＳＥＣＡＭモード、あるいはモード切替時のニュートラルモードでの基準周波数（約４．３３ＭＨｚ）を供給する。この基準周波数は、ＳＥＣＡＭ信号のＤＲ信号のキャリア周波数４．４０６２５ＭＨｚとＤＢ信号のキャリア周波数４．２５０００ＭＨｚの中間値である約４．３３ＭＨｚにしている。
【００３２】
ＣＰＵ５は、リモコン受光部や機器本体のキースイッチからのチャンネル切替などの情報をモード遷移情報として切替ＳＷ６に供給する。もう１つの切替ＳＷ７は、無変調キャリア周波数判別回路４の結果に基づいて、無変調キャリア周波数判別回路４で使用する判別設定値を設定するＰＡＬ用設定器８と、ＳＥＣＡＭ用設定器９とを選択し、それぞれのモード時に判別設定値を出力する。切替ＳＷ６には、切替ＳＷ７で選択されたＰＡＬ用あるいはＳＥＣＡＭ用の判別設定値と、ニュートラル用設定器１０で設定されたニュートラルモード用設定値とが入力され、ＣＰＵ５からのモード遷移情報によって切り替えられ、その出力信号がベルフィルタ１、無変調キャリア周波数判別回路４、タイミング生成回路２に供給される。
【００３３】
ＰＡＬ用設定器８は、無変調キャリア周波数判別回路４で使用するＰＡＬモード用基準周波数情報やベルフィルタ１の帯域特性、タイミング生成回路３での判別パルス位置を設定するものである。すなわち、ＰＡＬ用設定器８は、低Ｃ／Ｎ信号や高い周波数成分が低下して周波数特性の悪い信号など、信号品位の低いＰＡＬ信号でも安定して判別できる設定値を設定するものである。ここで、ＰＡＬモード用基準周波数情報の設定は、基準周波数を４．３３ＭＨｚより低い周波数にする設定であり、その設定値を無変調キャリア周波数判別回路４に加えて基準周波数をより低くすれば、ＰＡＬ信号の色副搬送波のキャリア周波数である４．４３０ＭＨｚとの周波数差がより大きくなるため、安定した判別を実現することができる。ベルフィルタ１の帯域特性の設定は、帯域を狭める設定であり、その設定値をベルフィルタ１に加えることによって、ノイズ成分が抑圧され、より低Ｃ／Ｎ信号においても判別を安定にすることができる。
【００３４】
なお、ＶＨＳ（登録商標）方式のＶＴＲで再生された再生信号などの信号特性がＰＡＬ、ＳＥＣＡＭ標準信号とは異なる非標準信号は、ベルフィルタ１を通さないほうが良い場合もあるので、ＰＡＬ用設定器８はベルフィルタ１をパス(ＯＦＦ)させる経路選択情報の設定も可能になっている。タイミング生成回路３に対する判別パルスの設定は、ベルフィルタ１をパス(ＯＦＦ)する設定にした場合、ベルフィルタ１での遅延時間があるので、ベルフィルタ１以後の回路でベルフィルタ１のＯＮ／ＯＦＦで信号のタイミングがずれてしまう。そのため判別パルス１、２、３を対象としてそのタイミングのずれを補正し、判別パルス２を対象としてパルス幅を広げるように設定する。
【００３５】
ＳＥＣＡＭ用設定器９は、無変調キャリア周波数判別回路４で使用するＳＥＣＡＭモード用基準周波数情報やベルフィルタ１の帯域特性、タイミング生成回路３での判別パルス位置を設定するもので、その設定値を切替ＳＷ７に入力する。すなわち、ＳＥＣＡＭ用設定器９は、低Ｃ／Ｎ信号などの信号品位が低いＳＥＣＡＭ信号でも安定して判別できる設定値を設定するものである。ここで、ＳＥＣＡＭ用基準周波数情報の設定とは、ＳＥＣＡＭ信号のＤＲ信号のキャリア周波数４．４０６２５ＭＨｚとＤＢ信号のキャリア周波数４．２５０００ＭＨｚの中間値である約４．３３ＭＨｚにする設定である。ベルフィルタ１の帯域特性の設定は、帯域はそのままでフィルタの中心周波数を若干高いほうに移動する設定である。これによりＶＨＳ再生信号などの非標準信号においても判別は安定する。判別パルスの設定では、無変調キャリアの位置に戻す設定になる。
【００３６】
ニュートラル用設定器１０は、無変調キャリア周波数判別回路４で使用するニュートラルモード用基準周波数情報やベルフィルタ１の帯域特性、タイミング生成回路３での判別パルス位置の設定値を切替ＳＷ６に入力する。基本的にＰＡＬ用設定器８やＳＥＣＡＭ用設定器９は初期判別が終わり、その後入力信号が変わらず、安定した判別をすることを目的にしてそれぞれの設定値を設定している。これに対して、ニュートラル用設定器１０は初期判別のための設定値を設定するもので、ＰＡＬ，ＳＥＣＡＭそれぞれにとってバランスの良い設定にする。すなわち、安定して映像信号が入力されているときは、それぞれの判別に最適な基準周波数やフィルタ定数などを設定し、チャンネル切替などチューナーの受信チャンネルが切り替わることで入力される映像信号が不連続になる場合、モード遷移情報から基準周波数やフィルタ対数などの設定値をニュートラル設定に戻し、判別応答を早め、判別誤動作を軽減する。
【００３７】
次に無変調キャリア周波数判別回路４について説明する。図３は無変調キャリア周波数判別回路４の詳細な構成を示すブロック図であり、基準周波数発生回路３１と、切替ＳＷ３２、３３、３５、３６と、ＬＩＮＥ毎連続性判別回路３４と、ＬＩＮＥ毎ＨＯＬＤ回路３７と、ＤＲ／ＤＢ判別回路３８と、ＥＸ−ＯＲ（排他的論理和回路）３９と、ＦＩＥＬＤ（フィールド）比較回路４０と、加算器４２、４３とを備えている。
【００３８】
基準周波数発生回路３１は切替ＳＷ６から出力される周波数設定値に従って、約４．３３ＭＨｚの基準周波数と、これより周波数が僅かに低い基準周波数を出力してＡＣＣ／ＦＭ復調回路２（図１参照）に加えるものである。切替ＳＷ３２には、ＡＣＣ／ＦＭ復調回路２から出力される無変調キャリア信号の周波数と、基本周波数との周波数差の信号が入力される。ここでは、図２(ｄ)で示される判別用パルス２で切替ＳＷ３２が切り替えられ、バックポーチ部分の無変調キャリア期間以外はゼロに固定される。判別用パルス２で選択された信号は加算器４２で切替ＳＷ３３の出力と加算されて、その加算値が切替ＳＷ３３に入力となる。切替ＳＷ３３は、図２（ｃ）で示される判別用パルス１によって水平同期信号の立ち下がり部分でリセットされる。これにより、判別用パルス１が切替ＳＷ３３に加えられるごとに、周波数差の信号が判別用パルス２の立ち上がりから立ち下がりまで積算され、その積算値が切替ＳＷ３３から出力される。切替ＳＷ３３から出力された信号は、ＬＩＮＥ毎連続性判別回路３４と、切替ＳＷ３５及び加算器４３とに加えられる。
【００３９】
ＬＩＮＥ毎連続性判別回路３４では、入力された信号がＬＩＮＥ毎に連続性があるか否かを判別する。例えばＳＥＣＡＭ信号が入力された場合、ＡＣＣ／ＦＭ復調回路２は無変調キャリア信号の周波数と、基準周波数との周波数差を１６ビットで２の補数信号形式で出力するため、周波数の高いＤＲ側のラインでは、例えば１６進表記の０４ＢＡ（hex）という値の信号が入力され、周波数の低いＤＢ側のラインでは、例えばＦＡＢ２（hex)という値が入力される。ここで上位４ビットに注目し、これらのビットの論理積を求めると、ＤＲ側は“０”、ＤＢ側は“１”となり、ライン毎の連続性が無いためＬＩＮＥ毎連続性判別回路３４の出力Ｙは“０”となる。一方、ＰＡＬ信号が入力された場合、ＡＣＣ／ＦＭ復調回路２からの出力は、例えば０３７８(hex)となり上位４ビットの論理積を求めると、その出力は“０”でこの値が毎ライン続くため、ＬＩＮＥ毎連続性判別回路３４の出力Ｙは“１”になる。このＬＩＮＥ毎連続性判別回路３４の出力Ｙは、切替ＳＷ３５に加えられる。
【００４０】
切替ＳＷ３５には、切替ＳＷ３３から出力された信号と、この信号とＬＩＮＥ毎ＨＯＬＤ回路３７から出力された２ライン前の信号を加算器４３で加算された信号とが入力され、これらの信号がＬＩＮＥ毎連続性判別回路３４の出力信号により選択される。ここで、ＬＩＮＥ毎連続性判別回路３４の出力信号Ｙが“０”でＳＥＣＡＭの時、加算器４３側を選択し、ＬＩＮＥ毎連続性判別回路３４の出力信号Ｙが“１”でＰＡＬの時は切替ＳＷ３３の出力側を選択する。これは、入力信号がＳＥＣＡＭ信号からＰＡＬ信号に切り替わった場合に対処するもので、ＳＥＣＡＭ信号受信時は加算器４３側を選択することで、すなわち、切替ＳＷ３３の出力信号と、後述するライン毎ＨＯＬＤ回路３７から出力される２ライン分の信号とを加算した信号を選択することで、入力信号の品位が低Ｃ／Ｎ環境下でも後段での安定したＤＲ／ＤＢ判別を行うことができる。もし、ＰＡＬ信号に切り替わった場合にも加算器４３の出力信号を選択したとすれば、２ライン前のデータであるＳＥＣＡＭ信号のデータが加算されたものになってしまい、ＰＡＬ信号に切り替わらないという問題を生じる。そこで、ライン毎の連続性を判別しＰＡＬ信号の場合には、加算を行わない経路を選択することで、すなわち切替ＳＷ３３の出力を選択することによって、応答性の良い判別を可能にしている。切替ＳＷ３５で選択された信号は、切替ＳＷ３６に入力される。
【００４１】
切替ＳＷ３６では、切替ＳＷ３５で選択された信号とＬＩＮＥ毎ＨＯＬＤ回路３７で選択された信号を図２（ｃ）の判別パルス１で切り替える。選択された信号は、ＬＩＮＥ毎ＨＯＬＤ回路３７とＤＲ／ＤＢ判別回路３８に入力される。ＬＩＮＥ毎ＨＯＬＤ回路３７では、タイミング生成回路３で生成されたトグル信号（ＬＩＮＥ  ＡＬＴ）を基に２ライン分の信号を保持した信号を選択し、加算器４３と切替ＳＷ３６に入力する。
【００４２】
ＤＲ／ＤＢ判別回路３８は、切替ＳＷ３６から出力される信号に基づき、ＤＲ／ＤＢ信号を判別する。ＬＩＮＥ毎連続性判別回路３４での動作と似て、入力信号の上位ビットに注目しＤＲ／ＤＢ信号判別を行い、トグル信号（ＬＩＮＥ  ＡＬＴ）でゲートをかけることによりライン毎にハイ“１”／ロー“０”の値を各々２水平ラインの期間の間保持し、１ラインずつの結果を２ライン分ＥＸ−ＯＲ３９に入力する。例えばＳＥＣＡＭ信号の場合は、ＤＲラインは“０”となりＤＢラインは“１”となるので、毎ライン交互に“０”と“１”がＥＸＯＲ３９に入力される。
【００４３】
ＥＸ−ＯＲ３９では、排他的論理和演算を行い、ＳＥＣＡＭ信号の場合ＤＲ／ＤＢ判別回路３８からは“０”と“１”が出力されるので、ＥＸ−ＯＲ３９の出力は“１”となる。  
【００４４】
ＦＩＥＬＤ比較回路４０では、ＥＸ−ＯＲ３９から入力された信号を任意のフィールド数の間安定動作をした場合、ＳＥＣＡＭ時には“１”が出力され、ＰＡＬ時には“０”が出力される。
【００４５】
以上の説明から明らかなように、上記の一実施の形態によれば、ニュートラル用設定器１０によって、初期判別用の基準周波数の設定値、カラー信号を整形する帯域幅及び中心周波数の設定値を設定し、ＳＥＣＡＭ用設定器９によって初期判別用の基準周波数の設定値と、カラー信号を整形する中心周波数を初期判別用の中心周波数より高い側に移動する設定値を設定し、ＰＡＬ用設定器８によって初期判別用の基準周波数より周波数の低い基準周波数の設定値と、カラー信号を整形する帯域幅を初期判別用の帯域幅を狭める設定値を設定し、初期判別時にニュートラル用設定器１０の設定値を使用し、判別結果がＰＡＬ信号であるときＰＡＬ用設定器８を使用し、判別結果がＳＥＣＡＭ信号であるときＳＥＣＡＭ用設定器９を使用し、入力信号の受信モードが遷移したときニュートラル用設定器１０を使用している。これによって、テレビジョン信号が低Ｃ／Ｎ環境下であっても、テレビジョン信号の周波数特性が悪い状態であっても安定して判別することができるとともに、入力信号の受信モードが遷移したときの判別応答速度の向上及び判別誤動作の低減を図ることができるという効果が得られる。
【００４６】
これに対して、例えば、ニュートラル用設定器１０を除去し、ＳＥＣＡＭ用設定器９によって初期判別用の基準周波数の設定値を設定し、ＰＡＬ用設定器８によって初期判別用の基準周波数より周波数の低い基準周波数の設定値を設定し、初期判別時にＳＥＣＡＭ用設定器９を使用し、判別結果がＰＡＬ信号であるときＰＡＬ用設定器８を使用するように構成することも可能であり、これによって、テレビジョン信号が低Ｃ／Ｎ環境下であっても安定した判別を実現することができるという効果が得られる。
【００４７】
また、ニュートラル用設定器１０を除去し、ＳＥＣＡＭ用設定器９によって初期判別用の基準周波数の設定値を設定し、ＰＡＬ用設定器８によって初期判別用の基準周波数より周波数の低い基準周波数の設定値と、カラー信号を整形する帯域幅を初期判別用の帯域幅を狭める設定値を設定し、初期判別時にＳＥＣＡＭ用設定器９を使用し、判別結果がＰＡＬ信号であるときＰＡＬ用設定器８を使用するように構成することも可能であり、これによって、入力されたテレビジョン信号が低Ｃ／Ｎ環境下であっても、テレビジョン信号の周波数特性が悪い状態であっても安定した判別を実現することができるという効果が得られる。
【図面の簡単な説明】
【００４８】
【図１】本発明に係るＰＡＬ、ＳＥＣＡＭ信号判別装置の一実施の形態の構成を示すブロック図である。
【図２】本発明の一実施の形態の動作を説明するために、判別対象信号及び装置内部で生成される判別用パルスの波形を示した波形図である。
【図３】本発明の一実施の形態を構成する無変調キャリア周波数判別回路の詳細な構成を示すブロック図である。
【図４】従来のＳＥＣＡＭ信号判別装置の構成を示すブロック図である。
【図５】従来の他のＳＥＣＡＭ信号判別装置の構成を示すブロック図である。
【符号の説明】
【００４９】
１  ベルフィルタ（バンドパスフィルタ）
２  ＡＣＣ／ＦＭ復調回路
３  タイミング生成回路
４  無変調キャリア周波数判別回路（判別回路）
５  ＣＰＵ（切替手段）
６、７  切替ＳＷ（切替手段）
８  ＰＡＬ用設定器（第２の設定手段）
９  ＳＥＣＡＭ用設定器（第１の設定手段）
１０  ニュートラル用設定器（第３の設定手段）
３１  基準周波数発生回路
【図１】
2009141440.tif 000003
【図２】
2009141440.tif 000004
【図３】
2009141440.tif 000005
【図４】
2009141440.tif 000006
【図５】
2009141440.tif 000007